(57)【要約】      （修正有）【課題】側面視において六角形状を呈する包装容器において、被収納物の収納及び取出しが容易であり、さらに、製造が容易な包装容器を提供する。【解決手段】包装容器５は、トレー状部と、上部構成部と、蓋部１００とを有し、トレー状部は、底面部１０と、下部正面側面部２０と、下部背面側面部４０と、下部右側面部６０と、下部左側面部８０と、糊代部２２、２４、４２、４４を有し、上部構成部は、上部正面側面部３０と、上部背面側面部５０と、上部右側面部７０と、上部左側面部９０と、フラップ３２、３４、５２、５４、７２、９２とを有し、蓋部１００は、上面蓋部１０２と、上部正面蓋部１０４と、下部正面蓋部１０６と、差込みフラップ１０８とを有していて、糊代部２２、４２が下部右側面部６０に接着され、糊代部２４、４４が下部左側面部８０に接着されている。【選択図】図６
0003186259.tif 000002
【実用新案登録請求の範囲】
【請求項１】
１枚のシート状のブランクにより形成された包装容器であって、
トレー状部（６）と、上部構成部（７）と、蓋部（１００）とを有し、
トレー状部が、
略方形状の底面部で、正面側の辺部と、正面側の辺部と平行な背面側の辺部と、正面側の辺部及び背面側の辺部と直角の右側面側の辺部と、正面側の辺部及び背面側の辺部と直角の左側面側の辺部とを有する底面部（１０）と、
底面部の正面側の辺部から第１折れ線（Ｃ１）を介して連設された下部正面側面部で、右側面側の直線状の辺部が第１折れ線となす角度である第１角度が鈍角であるとともに、左側面側の直線状の辺部が第１折れ線となす角度である第２角度が鈍角である下部正面側面部（２０）と、
底面部の背面側の辺部から第２折れ線（Ｃ７）を介して連設された下部背面側面部で、右側面側の直線状の辺部が第２折れ線となす角度である第３角度が鈍角であるとともに、左側面側の直線状の辺部が第２折れ線となす角度である第４角度が鈍角である下部背面側面部（４０）と、
底面部の右側面側の辺部から第３折れ線（Ｃ１３）を介して連設された下部右側面部で、正面側の直線状の辺部が第３折れ線となす角度である第５角度が鈍角であるとともに、背面側の直線状の辺部が第３折れ線となす角度である第６角度が鈍角である下部右側面部（６０）と、
底面部の左側面側の辺部から第４折れ線（Ｃ１６）を介して連設された下部左側面部で、正面側の直線状の辺部が第４折れ線となす角度である第７角度が鈍角であるとともに、背面側の直線状の辺部が第４折れ線となす角度である第８角度が鈍角である下部左側面部（８０）と、
下部正面側面部の右側面側の辺部又は下部右側面部の正面側の辺部から折れ線を介して連設された第１糊代部（２２）と、
下部正面側面部の左側面側の辺部又は下部左側面部の正面側の辺部から折れ線を介して連設された第２糊代部（２４）と、
下部背面側面部の右側面側の辺部又は下部右側面部の背面側の辺部から折れ線を介して連設された第３糊代部（４２）と、
下部背面側面部の左側面側の辺部又は下部左側面部の背面側の辺部から折れ線を介して連設された第４糊代部（４４）と、
を有し、
第１角度の大きさと第２角度の大きさと第３角度の大きさと第４角度の大きさとが略同一に形成されるとともに、第５角度の大きさと第６角度の大きさと第７角度の大きさと第８角度の大きさとが略同一に形成され、
第１折れ線と第５折れ線間の距離（ｈ２０）と第２折れ線と第８折れ線間の距離（ｈ４０）とが略同一に形成されるとともに、第３折れ線と第１１折れ線間の距離（ｈ６０）と第４折れ線と第１３折れ線間の距離とが略同一に形成され、
下部正面側面部と下部右側面部において折れ線を介して第１糊代部と連設していない側面部に第１糊代部を接着することにより第１糊代部を介して下部正面側面部と下部右側面部とが接続され、
下部正面側面部と下部左側面部において折れ線を介して第２糊代部と連設していない側面部に第２糊代部を接着することにより第２糊代部を介して下部正面側面部と下部左側面部とが接続され、
下部背面側面部と下部右側面部において折れ線を介して第３糊代部と連設していない側面部に第３糊代部を接着することにより第３糊代部を介して下部背面側面部と下部右側面部とが接続され、
下部背面側面部と下部左側面部において折れ線を介して第４糊代部と連設していない側面部に第４糊代部を接着することにより第４糊代部を介して下部背面側面部と下部左側面部とが接続され、
底面部側から上方にいくに従い下部正面側面部と下部背面側面部と下部右側面部と下部左側面部とで囲まれた領域が広くなるように、下部正面側面部と下部背面側面部と下部右側面部と下部左側面部が底面部に対して傾斜して設けられ、
上部構成部が、
下部正面側面部の底面部とは反対側の辺部で第１折れ線と平行な辺部から第５折れ線（Ｃ２）を介して連設された上部正面側面部で、右側面側の直線状の辺部が第５折れ線となす角度である第９角度が鋭角であるとともに、左側面側の直線状の辺部が第５折れ線となす角度である第１０角度が鋭角である上部正面側面部（３０）と、
上部正面側面部の右側面側の辺部から第６折れ線（Ｃ５）を介して連設された第１フラップで、第６折れ線と隣接する上辺に第１突状部（３２ａ）が設けられた第１フラップ（３２）と、
上部正面側面部の左側面側の辺部から第７折れ線（Ｃ６）を介して連設された第２フラップで、第７折れ線と隣接する上辺に第２突状部（３４ａ）が設けられた第２フラップ（３４）と、
下部背面側面部の底面部とは反対側の辺部で第２折れ線と平行な辺部から第８折れ線（Ｃ８）を介して連設された上部背面側面部で、右側面側の直線状の辺部が第８折れ線となす角度である第１１角度が鋭角であるとともに、左側面側の直線状の辺部が第８折れ線となす角度である第１２角度が鋭角である上部背面側面部（５０）と、
上部背面側面部の右側面側の辺部から第９折れ線（Ｃ１１）を介して連設された第３フラップで、第９折れ線と隣接する上辺に第３突状部（５２ａ）が設けられた第３フラップ（５２）と、
上部背面側面部の左側面側の辺部から第１０折れ線（Ｃ１２）を介して連設された第４フラップで、第１０折れ線と隣接する上辺に第４突状部（５４ａ）が設けられた第４フラップ（５４）と、
下部右側面部の底面部とは反対側の辺部で第３折れ線と平行な辺部から第１１折れ線（Ｃ１４）を介して連設された上部右側面部で、正面側の直線状の辺部が第１１折れ線となす角度である第１３角度が鋭角であるとともに、背面側の直線状の辺部が第１１折れ線となす角度である第１４角度が鋭角である上部右側面部（７０）と、
上部右側面部の下部右側面部とは反対側の辺部で第１１折れ線と平行な辺部から第１２折れ線（Ｃ１５）を介して連設された第５フラップで、第５フラップと上部右側面部の境界位置には、第１２折れ線の正面側に切込み又は切欠きにより形成された第１係止部（Ｋ２１）と第１２折れ線の背面側に切込み又は切欠きにより形成された第２係止部（Ｋ２２）が設けられた第５フラップ（７２）と、
下部左側面部の底面部とは反対側の辺部で第４折れ線と平行な辺部から第１３折れ線（Ｃ１７）を介して連設された上部左側面部で、正面側の直線状の辺部が第１３折れ線となす角度である第１５角度が鋭角であるとともに、背面側の直線状の辺部が第１３折れ線となす角度である第１６角度が鋭角である上部左側面部（９０）と、
上部左側面部の下部左側面部とは反対側の辺部で第１３折れ線と平行な辺部から第１４折れ線（Ｃ１８）を介して連設された第６フラップで、第６フラップと上部左側面部の境界位置には、第１４折れ線の正面側に切込み又は切欠きにより形成された第３係止部（Ｋ３１）と第１４折れ線の背面側に切込み又は切欠きにより形成された第４係止部（Ｋ３２）が設けられた第６フラップ（９２）と、
を有し、
第９角度の大きさと第１０角度の大きさと第１１角度の大きさと第１２角度の大きさとが略同一に形成されるとともに、第１３角度の大きさと第１４角度の大きさと第１５角度の大きさと第１６角度の大きさとが略同一に形成され、
蓋部が、
上部背面側面部の下部背面側面部とは反対側の辺部で第８折れ線と平行な辺部から第１５折れ線（Ｃ１９）を介して連設された上面蓋部（１０２）と、
上面蓋部の上部背面側面部とは反対側の辺部で第１５折れ線と平行な辺部から第１６折れ線（Ｃ２０）を介して連設された上部正面蓋部（１０４）と、
上部正面蓋部の上面蓋部とは反対側の辺部で第１６折れ線と平行な辺部から第１７折れ線（Ｃ２１）を介して連設された下部正面蓋部（１０６）と、
下部正面蓋部の上部正面蓋部とは反対側の辺部で第１７折れ線と平行な辺部から第１８折れ線（Ｃ２２）を介して連設された差込みフラップ（１０８）と、
を有し、
底面部と下部正面側面部の境界位置には、差込みフラップを差し込むための被差込み部で、切込み又は開口部により形成された被差込み部（Ｋ１）が形成され、
第１フラップと第２フラップとが上部正面側面部に対して内側に折り曲げられた状態で上部正面側面部を下部正面側面部に対して内側に折り曲げ、第３フラップと第４フラップとが上部背面側面部に対して内側に折り曲げられた状態で上部背面側面部を下部背面側面部に対して内側に折り曲げ、上部右側面部を下部右側面部に対して内側に折り曲げるとともに、第５フラップを上部右側面部に対して内側に折り曲げて、第１突状部を第１係止部に係止させるとともに、第３突状部を第２係止部に係止させ、上部左側面部を下部左側面部に対して内側に折り曲げるとともに、第６フラップを上部左側面部に対して内側に折り曲げて、第２突状部を第３係止部に係止させるとともに、第４突状部を第４係止部に係止させることにより上部構成部が組み立てられ、さらに、上面蓋部を上部背面側面部に対して内側に折り曲げて上部構成部の上部に配置し、上部正面蓋部を上面蓋部に対して折り曲げて上部正面蓋部を上部正面側面部に沿って配置し、下部正面蓋部を上部正面蓋部に対して折り曲げて下部正面蓋部を下部正面側面部に沿って配置して、差込みフラップを被差込み部に差し込むことにより包装容器が閉状態とされることを特徴とする包装容器。
【請求項２】
上部正面側面部における下部正面側面部とは反対側に切欠部（３０−１）が形成されていることを特徴とする請求項１に記載の包装容器。
【請求項３】
第１１折れ線と第１２折れ線間の距離（ｈ７０）が第３折れ線と第１１折れ線間の距離（ｈ６０）と略同一に形成されるとともに、第１３折れ線と第１４折れ線間の距離が第４折れ線と第１３折れ線間の距離と略同一に形成されていることを特徴とする請求項１又は２に記載の包装容器。
【請求項４】
第１角度の大きさと第９角度の大きさの和が１８０度であり、第５角度の大きさと第１３角度の大きさの和が１８０度であることを特徴とする請求項１又は２又は３に記載の包装容器。
【請求項５】
被差込み部が、略コ字状の切込みにより形成され、第１係止部と第２係止部と第３係止部と第４係止部とが、鉤状の切込みにより形成されていることを特徴とする請求項１又は２又は３又は４に記載の包装容器。
【請求項６】
１枚のシート状のブランクにより形成された包装容器であって、
トレー状部（６）と、上部構成部（７）と、蓋部（１００）とを有し、
トレー状部が、
略方形状の底面部で、正面側の辺部と、正面側の辺部と平行な背面側の辺部と、正面側の辺部及び背面側の辺部と直角の右側面側の辺部と、正面側の辺部及び背面側の辺部と直角の左側面側の辺部とを有する底面部（１０）と、
底面部の正面側の辺部から第１折れ線（Ｃ１）を介して連設された下部正面側面部で、右側面側の直線状の辺部が第１折れ線となす角度である第１角度が鈍角であるとともに、左側面側の直線状の辺部が第１折れ線となす角度である第２角度が鈍角である下部正面側面部（２０）と、
底面部の背面側の辺部から第２折れ線（Ｃ７）を介して連設された下部背面側面部で、右側面側の直線状の辺部が第２折れ線となす角度である第３角度が鈍角であるとともに、左側面側の直線状の辺部が第２折れ線となす角度である第４角度が鈍角である下部背面側面部（４０）と、
底面部の右側面側の辺部から第３折れ線（Ｃ１３）を介して連設された下部右側面部で、正面側の直線状の辺部が第３折れ線となす角度である第５角度が鈍角であるとともに、背面側の直線状の辺部が第３折れ線となす角度である第６角度が鈍角である下部右側面部（６０）と、
底面部の左側面側の辺部から第４折れ線（Ｃ１６）を介して連設された下部左側面部で、正面側の直線状の辺部が第４折れ線となす角度である第７角度が鈍角であるとともに、背面側の直線状の辺部が第４折れ線となす角度である第８角度が鈍角である下部左側面部（８０）と、
下部正面側面部の右側面側の辺部又は下部右側面部の正面側の辺部から折れ線を介して連設された第１糊代部（２２）と、
下部正面側面部の左側面側の辺部又は下部左側面部の正面側の辺部から折れ線を介して連設された第２糊代部（２４）と、
下部背面側面部の右側面側の辺部又は下部右側面部の背面側の辺部から折れ線を介して連設された第３糊代部（４２）と、
下部背面側面部の左側面側の辺部又は下部左側面部の背面側の辺部から折れ線を介して連設された第４糊代部（４４）と、
を有し、
第１角度の大きさと第２角度の大きさと第３角度の大きさと第４角度の大きさとが略同一に形成されるとともに、第５角度の大きさと第６角度の大きさと第７角度の大きさと第８角度の大きさとが略同一に形成され、
第１折れ線と第５折れ線間の距離（ｈ２０）と第２折れ線と第８折れ線間の距離（ｈ４０）とが略同一に形成されるとともに、第３折れ線と第１１折れ線間の距離（ｈ６０）と第４折れ線と第１３折れ線間の距離とが略同一に形成され、
下部正面側面部と下部右側面部において折れ線を介して第１糊代部と連設していない側面部に第１糊代部を接着することにより第１糊代部を介して下部正面側面部と下部右側面部とが接続され、
下部正面側面部と下部左側面部において折れ線を介して第２糊代部と連設していない側面部に第２糊代部を接着することにより第２糊代部を介して下部正面側面部と下部左側面部とが接続され、
下部背面側面部と下部右側面部において折れ線を介して第３糊代部と連設していない側面部に第３糊代部を接着することにより第３糊代部を介して下部背面側面部と下部右側面部とが接続され、
下部背面側面部と下部左側面部において折れ線を介して第４糊代部と連設していない側面部に第４糊代部を接着することにより第４糊代部を介して下部背面側面部と下部左側面部とが接続され、
底面部側から上方にいくに従い下部正面側面部と下部背面側面部と下部右側面部と下部左側面部とで囲まれた領域が広くなるように、下部正面側面部と下部背面側面部と下部右側面部と下部左側面部が底面部に対して傾斜して設けられ、
上部構成部が、
下部正面側面部の底面部とは反対側の辺部で第１折れ線と平行な辺部から第５折れ線（Ｃ２）を介して連設された上部正面側面部で、右側面側の直線状の辺部が第５折れ線となす角度である第９角度が鋭角であるとともに、左側面側の直線状の辺部が第５折れ線となす角度である第１０角度が鋭角であり、下部正面側面部とは反対側に切欠部（３０−１）が形成されている上部正面側面部（３０）と、
上部正面側面部の右側面側の辺部から第６折れ線（Ｃ５）を介して連設された第１フラップで、第６折れ線と隣接する上辺に第１突状部（３２ａ）が設けられた第１フラップ（３２）と、
上部正面側面部の左側面側の辺部から第７折れ線（Ｃ６）を介して連設された第２フラップで、第７折れ線と隣接する上辺に第２突状部（３４ａ）が設けられた第２フラップ（３４）と、
下部背面側面部の底面部とは反対側の辺部で第２折れ線と平行な辺部から第８折れ線（Ｃ８）を介して連設された上部背面側面部で、右側面側の直線状の辺部が第８折れ線となす角度である第１１角度が鋭角であるとともに、左側面側の直線状の辺部が第８折れ線となす角度である第１２角度が鋭角である上部背面側面部（５０）と、
上部背面側面部の右側面側の辺部から第９折れ線（Ｃ１１）を介して連設された第３フラップで、第９折れ線と隣接する上辺に第３突状部（５２ａ）が設けられた第３フラップ（５２）と、
上部背面側面部の左側面側の辺部から第１０折れ線（Ｃ１２）を介して連設された第４フラップで、第１０折れ線と隣接する上辺に第４突状部（５４ａ）が設けられた第４フラップ（５４）と、
下部右側面部の底面部とは反対側の辺部で第３折れ線と平行な辺部から第１１折れ線（Ｃ１４）を介して連設された上部右側面部で、正面側の直線状の辺部が第１１折れ線となす角度である第１３角度が鋭角であるとともに、背面側の直線状の辺部が第１１折れ線となす角度である第１４角度が鋭角である上部右側面部（７０）と、
上部右側面部の下部右側面部とは反対側の辺部で第１１折れ線と平行な辺部から第１２折れ線（Ｃ１５）を介して連設された第５フラップで、第５フラップと上部右側面部の境界位置には、第１２折れ線の正面側に鉤状の切込みにより形成された第１係止部（Ｋ２１）と第１２折れ線の背面側に鉤状の切込みにより形成された第２係止部（Ｋ２２）が設けられた第５フラップ（７２）と、
下部左側面部の底面部とは反対側の辺部で第４折れ線と平行な辺部から第１３折れ線（Ｃ１７）を介して連設された上部左側面部で、正面側の直線状の辺部が第１３折れ線となす角度である第１５角度が鋭角であるとともに、背面側の直線状の辺部が第１３折れ線となす角度である第１６角度が鋭角である上部左側面部（９０）と、
上部左側面部の下部左側面部とは反対側の辺部で第１３折れ線と平行な辺部から第１４折れ線（Ｃ１８）を介して連設された第６フラップで、第６フラップと上部左側面部の境界位置には、第１４折れ線の正面側に鉤状の切込みにより形成された第３係止部（Ｋ３１）と第１４折れ線の背面側に鉤状の切込みにより形成された第４係止部（Ｋ３２）が設けられた第６フラップ（９２）と、
を有し、
第９角度の大きさと第１０角度の大きさと第１１角度の大きさと第１２角度の大きさとが略同一に形成されるとともに、第１３角度の大きさと第１４角度の大きさと第１５角度の大きさと第１６角度の大きさとが略同一に形成され、
第１角度の大きさと第９角度の大きさの和が１８０度であり、第５角度の大きさと第１３角度の大きさの和が１８０度であり、
第１１折れ線と第１２折れ線間の距離（ｈ７０）が第３折れ線と第１１折れ線間の距離（ｈ６０）と略同一に形成されるとともに、第１３折れ線と第１４折れ線間の距離が第４折れ線と第１３折れ線間の距離と略同一に形成され、
蓋部が、
上部背面側面部の下部背面側面部とは反対側の辺部で第８折れ線と平行な辺部から第１５折れ線（Ｃ１９）を介して連設された上面蓋部（１０２）と、
上面蓋部の上部背面側面部とは反対側の辺部で第１５折れ線と平行な辺部から第１６折れ線（Ｃ２０）を介して連設された上部正面蓋部（１０４）と、
上部正面蓋部の上面蓋部とは反対側の辺部で第１６折れ線と平行な辺部から第１７折れ線（Ｃ２１）を介して連設された下部正面蓋部（１０６）と、
下部正面蓋部の上部正面蓋部とは反対側の辺部で第１７折れ線と平行な辺部から第１８折れ線（Ｃ２２）を介して連設された差込みフラップ（１０８）と、
を有し、
底面部と下部正面側面部の境界位置には、差込みフラップを差し込むための被差込み部で、略コ字状の切込みにより形成された被差込み部（Ｋ１）が形成され、
第１フラップと第２フラップとが上部正面側面部に対して内側に折り曲げられた状態で上部正面側面部を下部正面側面部に対して内側に折り曲げ、第３フラップと第４フラップとが上部背面側面部に対して内側に折り曲げられた状態で上部背面側面部を下部背面側面部に対して内側に折り曲げ、上部右側面部を下部右側面部に対して内側に折り曲げるとともに、第５フラップを上部右側面部に対して内側に折り曲げて、第１突状部を第１係止部に係止させるとともに、第３突状部を第２係止部に係止させ、上部左側面部を下部左側面部に対して内側に折り曲げるとともに、第６フラップを上部左側面部に対して内側に折り曲げて、第２突状部を第３係止部に係止させるとともに、第４突状部を第４係止部に係止させることにより上部構成部が組み立てられ、さらに、上面蓋部を上部背面側面部に対して内側に折り曲げて上部構成部の上部に配置し、上部正面蓋部を上面蓋部に対して折り曲げて上部正面蓋部を上部正面側面部に沿って配置し、下部正面蓋部を上部正面蓋部に対して折り曲げて下部正面蓋部を下部正面側面部に沿って配置して、差込みフラップを被差込み部に差し込むことにより包装容器が閉状態とされることを特徴とする包装容器。
【請求項７】
下部背面側面部と上部背面側面部と下部右側面部と下部左側面部とが、台形形状を呈し、下部正面側面部と上部右側面部と上部左側面部とが、略台形形状を呈することを特徴とする請求項６に記載の包装容器。
【考案の詳細な説明】
【技術分野】
【０００１】
本考案は、包装容器に関するものであり、周面が多角形状をなす包装容器に関するものである。
【背景技術】
【０００２】
従来より、組立て状態で六角柱状の胴部を有し、胴部を六角形状に形成することにより同時に底部が形成される包装容器として、特許文献１に記載の包装箱が存在する。この特許文献１に記載の包装箱は、スリーブ状部５と、蓋部３０と、底部４０等を有している。
【０００３】
また、側面視において八角形状を呈し、横方向の回転軸を中心に開閉する包装容器として、特許文献２に記載のものが存在する。特許文献２における容器１は、第１の容器ハーフ２と第２の容器ハーフ３とを有し、第１の容器ハーフ２と第２の容器ハーフ３が枢軸回転自在軸１７を中心に開閉する。ここで、第１の容器ハーフ２においては、２つの横壁部４８における各横壁部４８の両側から連設された接着フランジ５０が上部容器壁７及び下部容器壁８と接着され、第２の容器ハーフ３においては、２つの横壁部４８における各横壁部４８の両側から連設された接着フランジ５０が上部容器壁９及び下部容器壁１０と接着されている。さらには、横壁部６５の両側から連設された接着フランジ５０が上部容器壁７及び下部容器壁８と接着され、横壁部６６の両側から連設された接着フランジ５０が上部容器壁９及び下部容器壁１０と接着されている。
【先行技術文献】
【特許文献】
【０００４】
【特許文献１】実用新案登録第３１７１２２４号公報
【特許文献２】特表２００９−５０８７６５号公報
【考案の概要】
【考案が解決しようとする課題】
【０００５】
しかし、特許文献１に記載の包装箱においては、スリーブ状部５から連設された蓋部３０が開閉する構成であるので、スリーブ状部５の軸線方向の端部から被収納物の収納及び取出しを行なうため、側面視において多角形状をなすように使用する場合には、包装箱の側方が開口するので被収納物の収納及び取出しが容易でないという問題があった。
【０００６】
その点、特許文献２に記載の容器においては、第１の容器ハーフ２と第２の容器ハーフ３とが横方向の回転軸を中心に開閉するので、側面視において多角形状をなす構成であるが、被収納物の収納及び取出しが容易となる。
【０００７】
しかし、特許文献２に記載の容器においては、第１の容器ハーフ２においては、２つの横壁部４８における各横壁部４８の両側から連設された接着フランジ５０が上部容器壁７及び下部容器壁８と接着され、第２の容器ハーフ３においては、２つの横壁部４８における各横壁部４８の両側から連設された接着フランジ５０が上部容器壁９及び下部容器壁１０と接着され、さらには、横壁部６５の両側から連設された接着フランジ５０が上部容器壁７及び下部容器壁８と接着され、横壁部６６の両側から連設された接着フランジ５０が上部容器壁９及び下部容器壁１０と接着されている構成であるので、接着すべき接着フランジ５０が数が多いため、製造が容易でないという問題があった。
【０００８】
そこで、本考案は、側面視において六角形状を呈する包装容器において、被収納物の収納及び取出しが容易であり、さらに、製造が容易な包装容器を提供することを目的とする。
【課題を解決するための手段】
【０００９】
本考案は上記問題点を解決するために創作されたものであって、第１には、１枚のシート状のブランクにより形成された包装容器であって、トレー状部（６）と、上部構成部（７）と、蓋部（１００）とを有し、トレー状部が、略方形状の底面部で、正面側の辺部と、正面側の辺部と平行な背面側の辺部と、正面側の辺部及び背面側の辺部と直角の右側面側の辺部と、正面側の辺部及び背面側の辺部と直角の左側面側の辺部とを有する底面部（１０）と、底面部の正面側の辺部から第１折れ線（Ｃ１）を介して連設された下部正面側面部で、右側面側の直線状の辺部が第１折れ線となす角度である第１角度が鈍角であるとともに、左側面側の直線状の辺部が第１折れ線となす角度である第２角度が鈍角である下部正面側面部（２０）と、底面部の背面側の辺部から第２折れ線（Ｃ７）を介して連設された下部背面側面部で、右側面側の直線状の辺部が第２折れ線となす角度である第３角度が鈍角であるとともに、左側面側の直線状の辺部が第２折れ線となす角度である第４角度が鈍角である下部背面側面部（４０）と、底面部の右側面側の辺部から第３折れ線（Ｃ１３）を介して連設された下部右側面部で、正面側の直線状の辺部が第３折れ線となす角度である第５角度が鈍角であるとともに、背面側の直線状の辺部が第３折れ線となす角度である第６角度が鈍角である下部右側面部（６０）と、底面部の左側面側の辺部から第４折れ線（Ｃ１６）を介して連設された下部左側面部で、正面側の直線状の辺部が第４折れ線となす角度である第７角度が鈍角であるとともに、背面側の直線状の辺部が第４折れ線となす角度である第８角度が鈍角である下部左側面部（８０）と、下部正面側面部の右側面側の辺部又は下部右側面部の正面側の辺部から折れ線を介して連設された第１糊代部（２２）と、下部正面側面部の左側面側の辺部又は下部左側面部の正面側の辺部から折れ線を介して連設された第２糊代部（２４）と、下部背面側面部の右側面側の辺部又は下部右側面部の背面側の辺部から折れ線を介して連設された第３糊代部（４２）と、下部背面側面部の左側面側の辺部又は下部左側面部の背面側の辺部から折れ線を介して連設された第４糊代部（４４）と、を有し、第１角度の大きさと第２角度の大きさと第３角度の大きさと第４角度の大きさとが略同一に形成されるとともに、第５角度の大きさと第６角度の大きさと第７角度の大きさと第８角度の大きさとが略同一に形成され、第１折れ線と第５折れ線間の距離（ｈ２０）と第２折れ線と第８折れ線間の距離（ｈ４０）とが略同一に形成されるとともに、第３折れ線と第１１折れ線間の距離（ｈ６０）と第４折れ線と第１３折れ線間の距離とが略同一に形成され、下部正面側面部と下部右側面部において折れ線を介して第１糊代部と連設していない側面部に第１糊代部を接着することにより第１糊代部を介して下部正面側面部と下部右側面部とが接続され、下部正面側面部と下部左側面部において折れ線を介して第２糊代部と連設していない側面部に第２糊代部を接着することにより第２糊代部を介して下部正面側面部と下部左側面部とが接続され、下部背面側面部と下部右側面部において折れ線を介して第３糊代部と連設していない側面部に第３糊代部を接着することにより第３糊代部を介して下部背面側面部と下部右側面部とが接続され、下部背面側面部と下部左側面部において折れ線を介して第４糊代部と連設していない側面部に第４糊代部を接着することにより第４糊代部を介して下部背面側面部と下部左側面部とが接続され、底面部側から上方にいくに従い下部正面側面部と下部背面側面部と下部右側面部と下部左側面部とで囲まれた領域が広くなるように、下部正面側面部と下部背面側面部と下部右側面部と下部左側面部が底面部に対して傾斜して設けられ、上部構成部が、下部正面側面部の底面部とは反対側の辺部で第１折れ線と平行な辺部から第５折れ線（Ｃ２）を介して連設された上部正面側面部で、右側面側の直線状の辺部が第５折れ線となす角度である第９角度が鋭角であるとともに、左側面側の直線状の辺部が第５折れ線となす角度である第１０角度が鋭角である上部正面側面部（３０）と、上部正面側面部の右側面側の辺部から第６折れ線（Ｃ５）を介して連設された第１フラップで、第６折れ線と隣接する上辺に第１突状部（３２ａ）が設けられた第１フラップ（３２）と、上部正面側面部の左側面側の辺部から第７折れ線（Ｃ６）を介して連設された第２フラップで、第７折れ線と隣接する上辺に第２突状部（３４ａ）が設けられた第２フラップ（３４）と、下部背面側面部の底面部とは反対側の辺部で第２折れ線と平行な辺部から第８折れ線（Ｃ８）を介して連設された上部背面側面部で、右側面側の直線状の辺部が第８折れ線となす角度である第１１角度が鋭角であるとともに、左側面側の直線状の辺部が第８折れ線となす角度である第１２角度が鋭角である上部背面側面部（５０）と、上部背面側面部の右側面側の辺部から第９折れ線（Ｃ１１）を介して連設された第３フラップで、第９折れ線と隣接する上辺に第３突状部（５２ａ）が設けられた第３フラップ（５２）と、上部背面側面部の左側面側の辺部から第１０折れ線（Ｃ１２）を介して連設された第４フラップで、第１０折れ線と隣接する上辺に第４突状部（５４ａ）が設けられた第４フラップ（５４）と、下部右側面部の底面部とは反対側の辺部で第３折れ線と平行な辺部から第１１折れ線（Ｃ１４）を介して連設された上部右側面部で、正面側の直線状の辺部が第１１折れ線となす角度である第１３角度が鋭角であるとともに、背面側の直線状の辺部が第１１折れ線となす角度である第１４角度が鋭角である上部右側面部（７０）と、上部右側面部の下部右側面部とは反対側の辺部で第１１折れ線と平行な辺部から第１２折れ線（Ｃ１５）を介して連設された第５フラップで、第５フラップと上部右側面部の境界位置には、第１２折れ線の正面側に切込み又は切欠きにより形成された第１係止部（Ｋ２１）と第１２折れ線の背面側に切込み又は切欠きにより形成された第２係止部（Ｋ２２）が設けられた第５フラップ（７２）と、下部左側面部の底面部とは反対側の辺部で第４折れ線と平行な辺部から第１３折れ線（Ｃ１７）を介して連設された上部左側面部で、正面側の直線状の辺部が第１３折れ線となす角度である第１５角度が鋭角であるとともに、背面側の直線状の辺部が第１３折れ線となす角度である第１６角度が鋭角である上部左側面部（９０）と、上部左側面部の下部左側面部とは反対側の辺部で第１３折れ線と平行な辺部から第１４折れ線（Ｃ１８）を介して連設された第６フラップで、第６フラップと上部左側面部の境界位置には、第１４折れ線の正面側に切込み又は切欠きにより形成された第３係止部（Ｋ３１）と第１４折れ線の背面側に切込み又は切欠きにより形成された第４係止部（Ｋ３２）が設けられた第６フラップ（９２）と、を有し、第９角度の大きさと第１０角度の大きさと第１１角度の大きさと第１２角度の大きさとが略同一に形成されるとともに、第１３角度の大きさと第１４角度の大きさと第１５角度の大きさと第１６角度の大きさとが略同一に形成され、蓋部が、上部背面側面部の下部背面側面部とは反対側の辺部で第８折れ線と平行な辺部から第１５折れ線（Ｃ１９）を介して連設された上面蓋部（１０２）と、上面蓋部の上部背面側面部とは反対側の辺部で第１５折れ線と平行な辺部から第１６折れ線（Ｃ２０）を介して連設された上部正面蓋部（１０４）と、上部正面蓋部の上面蓋部とは反対側の辺部で第１６折れ線と平行な辺部から第１７折れ線（Ｃ２１）を介して連設された下部正面蓋部（１０６）と、下部正面蓋部の上部正面蓋部とは反対側の辺部で第１７折れ線と平行な辺部から第１８折れ線（Ｃ２２）を介して連設された差込みフラップ（１０８）と、を有し、底面部と下部正面側面部の境界位置には、差込みフラップを差し込むための被差込み部で、切込み又は開口部により形成された被差込み部（Ｋ１）が形成され、第１フラップと第２フラップとが上部正面側面部に対して内側に折り曲げられた状態で上部正面側面部を下部正面側面部に対して内側に折り曲げ、第３フラップと第４フラップとが上部背面側面部に対して内側に折り曲げられた状態で上部背面側面部を下部背面側面部に対して内側に折り曲げ、上部右側面部を下部右側面部に対して内側に折り曲げるとともに、第５フラップを上部右側面部に対して内側に折り曲げて、第１突状部を第１係止部に係止させるとともに、第３突状部を第２係止部に係止させ、上部左側面部を下部左側面部に対して内側に折り曲げるとともに、第６フラップを上部左側面部に対して内側に折り曲げて、第２突状部を第３係止部に係止させるとともに、第４突状部を第４係止部に係止させることにより上部構成部が組み立てられ、さらに、上面蓋部を上部背面側面部に対して内側に折り曲げて上部構成部の上部に配置し、上部正面蓋部を上面蓋部に対して折り曲げて上部正面蓋部を上部正面側面部に沿って配置し、下部正面蓋部を上部正面蓋部に対して折り曲げて下部正面蓋部を下部正面側面部に沿って配置して、差込みフラップを被差込み部に差し込むことにより包装容器が閉状態とされることを特徴とする。
【００１０】
上記第１の構成の包装容器においては、トレー状部の側面が傾斜してテーパ状を呈していて、底面部側から上方にいくに従い下部正面側面部と下部背面側面部と下部右側面部と下部左側面部とで囲まれた領域が広くなるので、被収納物の収納や取出しを容易とすることができる。
【００１１】
また、４つの糊代部を接着させるのみで形成されているので、通常のトレーを製造する方法と同様の方法で製造することができ、製造が容易な包装容器を提供することができる。
【００１２】
また、第２には、上記第１の構成において、上部正面側面部における下部正面側面部とは反対側に切欠部（３０−１）が形成されていることを特徴とする。この切欠部が設けられていることにより、被収納部の収納や取出しの際に、上部正面側面部が邪魔になることがなく、また、蓋部を上方に持ち上げた際に、収納された被収納物を視認しやすくすることができる。
【００１３】
また、第３には、上記第１又は第２の構成において、第１１折れ線と第１２折れ線間の距離（ｈ７０）が第３折れ線と第１１折れ線間の距離（ｈ６０）と略同一に形成されるとともに、第１３折れ線と第１４折れ線間の距離が第４折れ線と第１３折れ線間の距離と略同一に形成されていることを特徴とする。
【００１４】
また、第４には、上記第１から第３までのいずれかの構成において、第１角度の大きさと第９角度の大きさの和が１８０度であり、第５角度の大きさと第１３角度の大きさの和が１８０度であることを特徴とする。
【００１５】
また、第５には、上記第１から第４までのいずれかの構成において、被差込み部が、略コ字状の切込みにより形成され、第１係止部と第２係止部と第３係止部と第４係止部とが、鉤状の切込みにより形成されていることを特徴とする。
【００１６】
また、第６には、１枚のシート状のブランクにより形成された包装容器であって、トレー状部（６）と、上部構成部（７）と、蓋部（１００）とを有し、トレー状部が、略方形状の底面部で、正面側の辺部と、正面側の辺部と平行な背面側の辺部と、正面側の辺部及び背面側の辺部と直角の右側面側の辺部と、正面側の辺部及び背面側の辺部と直角の左側面側の辺部とを有する底面部（１０）と、底面部の正面側の辺部から第１折れ線（Ｃ１）を介して連設された下部正面側面部で、右側面側の直線状の辺部が第１折れ線となす角度である第１角度が鈍角であるとともに、左側面側の直線状の辺部が第１折れ線となす角度である第２角度が鈍角である下部正面側面部（２０）と、底面部の背面側の辺部から第２折れ線（Ｃ７）を介して連設された下部背面側面部で、右側面側の直線状の辺部が第２折れ線となす角度である第３角度が鈍角であるとともに、左側面側の直線状の辺部が第２折れ線となす角度である第４角度が鈍角である下部背面側面部（４０）と、底面部の右側面側の辺部から第３折れ線（Ｃ１３）を介して連設された下部右側面部で、正面側の直線状の辺部が第３折れ線となす角度である第５角度が鈍角であるとともに、背面側の直線状の辺部が第３折れ線となす角度である第６角度が鈍角である下部右側面部（６０）と、底面部の左側面側の辺部から第４折れ線（Ｃ１６）を介して連設された下部左側面部で、正面側の直線状の辺部が第４折れ線となす角度である第７角度が鈍角であるとともに、背面側の直線状の辺部が第４折れ線となす角度である第８角度が鈍角である下部左側面部（８０）と、下部正面側面部の右側面側の辺部又は下部右側面部の正面側の辺部から折れ線を介して連設された第１糊代部（２２）と、下部正面側面部の左側面側の辺部又は下部左側面部の正面側の辺部から折れ線を介して連設された第２糊代部（２４）と、下部背面側面部の右側面側の辺部又は下部右側面部の背面側の辺部から折れ線を介して連設された第３糊代部（４２）と、下部背面側面部の左側面側の辺部又は下部左側面部の背面側の辺部から折れ線を介して連設された第４糊代部（４４）と、を有し、第１角度の大きさと第２角度の大きさと第３角度の大きさと第４角度の大きさとが略同一に形成されるとともに、第５角度の大きさと第６角度の大きさと第７角度の大きさと第８角度の大きさとが略同一に形成され、第１折れ線と第５折れ線間の距離（ｈ２０）と第２折れ線と第８折れ線間の距離（ｈ４０）とが略同一に形成されるとともに、第３折れ線と第１１折れ線間の距離（ｈ６０）と第４折れ線と第１３折れ線間の距離とが略同一に形成され、下部正面側面部と下部右側面部において折れ線を介して第１糊代部と連設していない側面部に第１糊代部を接着することにより第１糊代部を介して下部正面側面部と下部右側面部とが接続され、下部正面側面部と下部左側面部において折れ線を介して第２糊代部と連設していない側面部に第２糊代部を接着することにより第２糊代部を介して下部正面側面部と下部左側面部とが接続され、下部背面側面部と下部右側面部において折れ線を介して第３糊代部と連設していない側面部に第３糊代部を接着することにより第３糊代部を介して下部背面側面部と下部右側面部とが接続され、下部背面側面部と下部左側面部において折れ線を介して第４糊代部と連設していない側面部に第４糊代部を接着することにより第４糊代部を介して下部背面側面部と下部左側面部とが接続され、底面部側から上方にいくに従い下部正面側面部と下部背面側面部と下部右側面部と下部左側面部とで囲まれた領域が広くなるように、下部正面側面部と下部背面側面部と下部右側面部と下部左側面部が底面部に対して傾斜して設けられ、上部構成部が、下部正面側面部の底面部とは反対側の辺部で第１折れ線と平行な辺部から第５折れ線（Ｃ２）を介して連設された上部正面側面部で、右側面側の直線状の辺部が第５折れ線となす角度である第９角度が鋭角であるとともに、左側面側の直線状の辺部が第５折れ線となす角度である第１０角度が鋭角であり、下部正面側面部とは反対側に切欠部（３０−１）が形成されている上部正面側面部（３０）と、上部正面側面部の右側面側の辺部から第６折れ線（Ｃ５）を介して連設された第１フラップで、第６折れ線と隣接する上辺に第１突状部（３２ａ）が設けられた第１フラップ（３２）と、上部正面側面部の左側面側の辺部から第７折れ線（Ｃ６）を介して連設された第２フラップで、第７折れ線と隣接する上辺に第２突状部（３４ａ）が設けられた第２フラップ（３４）と、
下部背面側面部の底面部とは反対側の辺部で第２折れ線と平行な辺部から第８折れ線（Ｃ８）を介して連設された上部背面側面部で、右側面側の直線状の辺部が第８折れ線となす角度である第１１角度が鋭角であるとともに、左側面側の直線状の辺部が第８折れ線となす角度である第１２角度が鋭角である上部背面側面部（５０）と、上部背面側面部の右側面側の辺部から第９折れ線（Ｃ１１）を介して連設された第３フラップで、第９折れ線と隣接する上辺に第３突状部（５２ａ）が設けられた第３フラップ（５２）と、上部背面側面部の左側面側の辺部から第１０折れ線（Ｃ１２）を介して連設された第４フラップで、第１０折れ線と隣接する上辺に第４突状部（５４ａ）が設けられた第４フラップ（５４）と、下部右側面部の底面部とは反対側の辺部で第３折れ線と平行な辺部から第１１折れ線（Ｃ１４）を介して連設された上部右側面部で、正面側の直線状の辺部が第１１折れ線となす角度である第１３角度が鋭角であるとともに、背面側の直線状の辺部が第１１折れ線となす角度である第１４角度が鋭角である上部右側面部（７０）と、上部右側面部の下部右側面部とは反対側の辺部で第１１折れ線と平行な辺部から第１２折れ線（Ｃ１５）を介して連設された第５フラップで、第５フラップと上部右側面部の境界位置には、第１２折れ線の正面側に鉤状の切込みにより形成された第１係止部（Ｋ２１）と第１２折れ線の背面側に鉤状の切込みにより形成された第２係止部（Ｋ２２）が設けられた第５フラップ（７２）と、下部左側面部の底面部とは反対側の辺部で第４折れ線と平行な辺部から第１３折れ線（Ｃ１７）を介して連設された上部左側面部で、正面側の直線状の辺部が第１３折れ線となす角度である第１５角度が鋭角であるとともに、背面側の直線状の辺部が第１３折れ線となす角度である第１６角度が鋭角である上部左側面部（９０）と、上部左側面部の下部左側面部とは反対側の辺部で第１３折れ線と平行な辺部から第１４折れ線（Ｃ１８）を介して連設された第６フラップで、第６フラップと上部左側面部の境界位置には、第１４折れ線の正面側に鉤状の切込みにより形成された第３係止部（Ｋ３１）と第１４折れ線の背面側に鉤状の切込みにより形成された第４係止部（Ｋ３２）が設けられた第６フラップ（９２）と、を有し、第９角度の大きさと第１０角度の大きさと第１１角度の大きさと第１２角度の大きさとが略同一に形成されるとともに、第１３角度の大きさと第１４角度の大きさと第１５角度の大きさと第１６角度の大きさとが略同一に形成され、第１角度の大きさと第９角度の大きさの和が１８０度であり、第５角度の大きさと第１３角度の大きさの和が１８０度であり、第１１折れ線と第１２折れ線間の距離（ｈ７０）が第３折れ線と第１１折れ線間の距離（ｈ６０）と略同一に形成されるとともに、第１３折れ線と第１４折れ線間の距離が第４折れ線と第１３折れ線間の距離と略同一に形成され、蓋部が、上部背面側面部の下部背面側面部とは反対側の辺部で第８折れ線と平行な辺部から第１５折れ線（Ｃ１９）を介して連設された上面蓋部（１０２）と、上面蓋部の上部背面側面部とは反対側の辺部で第１５折れ線と平行な辺部から第１６折れ線（Ｃ２０）を介して連設された上部正面蓋部（１０４）と、上部正面蓋部の上面蓋部とは反対側の辺部で第１６折れ線と平行な辺部から第１７折れ線（Ｃ２１）を介して連設された下部正面蓋部（１０６）と、下部正面蓋部の上部正面蓋部とは反対側の辺部で第１７折れ線と平行な辺部から第１８折れ線（Ｃ２２）を介して連設された差込みフラップ（１０８）と、を有し、底面部と下部正面側面部の境界位置には、差込みフラップを差し込むための被差込み部で、略コ字状の切込みにより形成された被差込み部（Ｋ１）が形成され、第１フラップと第２フラップとが上部正面側面部に対して内側に折り曲げられた状態で上部正面側面部を下部正面側面部に対して内側に折り曲げ、第３フラップと第４フラップとが上部背面側面部に対して内側に折り曲げられた状態で上部背面側面部を下部背面側面部に対して内側に折り曲げ、上部右側面部を下部右側面部に対して内側に折り曲げるとともに、第５フラップを上部右側面部に対して内側に折り曲げて、第１突状部を第１係止部に係止させるとともに、第３突状部を第２係止部に係止させ、上部左側面部を下部左側面部に対して内側に折り曲げるとともに、第６フラップを上部左側面部に対して内側に折り曲げて、第２突状部を第３係止部に係止させるとともに、第４突状部を第４係止部に係止させることにより上部構成部が組み立てられ、さらに、上面蓋部を上部背面側面部に対して内側に折り曲げて上部構成部の上部に配置し、上部正面蓋部を上面蓋部に対して折り曲げて上部正面蓋部を上部正面側面部に沿って配置し、下部正面蓋部を上部正面蓋部に対して折り曲げて下部正面蓋部を下部正面側面部に沿って配置して、差込みフラップを被差込み部に差し込むことにより包装容器が閉状態とされることを特徴とする。
【００１７】
上記第６の構成の包装容器においては、トレー状部の側面が傾斜してテーパ状を呈していて、底面部側から上方にいくに従い下部正面側面部と下部背面側面部と下部右側面部と下部左側面部とで囲まれた領域が広くなるので、被収納物の収納や取出しを容易とすることができる。
【００１８】
また、４つの糊代部を接着させるのみで形成されているので、通常のトレーを製造する方法と同様の方法で製造することができ、製造が容易な包装容器を提供することができる。
【００１９】
また、上部正面側面部に切欠部が設けられていることにより、被収納部の収納や取出しの際に、上部正面側面部が邪魔になることがなく、また、蓋部を上方に持ち上げた際に、収納された被収納物を視認しやすくすることができる。
【００２０】
また、第７には、上記第６の構成において、下部背面側面部と上部背面側面部と下部右側面部と下部左側面部とが、台形形状を呈し、下部正面側面部と上部右側面部と上部左側面部とが、略台形形状を呈することを特徴とする。
【考案の効果】
【００２１】
本考案に基づく包装容器によれば、トレー状部の側面が傾斜してテーパ状を呈していて、底面部側から上方にいくに従い下部正面側面部と下部背面側面部と下部右側面部と下部左側面部とで囲まれた領域が広くなるので、被収納物の収納や取出しを容易とすることができる。
【００２２】
また、４つの糊代部を接着させるのみで形成されているので、通常のトレーを製造する方法と同様の方法で製造することができ、製造が容易な包装容器を提供することができる。
【図面の簡単な説明】
【００２３】
【図１】実施例１の包装容器の前方斜視図である。
【図２】実施例１の包装容器の後方斜視図である。
【図３】実施例１の包装容器の展開図である。
【図４】図３の要部拡大図である。
【図５】図３の要部拡大図である。
【図６】実施例１の包装容器の使用状態を示す前方斜視図である。
【図７】実施例１の包装容器の使用状態を示す前方斜視図である。
【図８】通常のトレーの使用状態を示す説明図である。
【図９】通常のトレーとの比較を説明するための説明図である。
【図１０】実施例２の包装容器の前方斜視図である。
【図１１】実施例２の包装容器の後方斜視図である。
【図１２】実施例２の包装容器の展開図である。
【図１３】実施例２の包装容器の使用状態を示す前方斜視図である。
【図１４】実施例１の包装容器の使用状態を示す前方斜視図である。
【考案を実施するための形態】
【００２４】
本考案においては、側面視において六角形状を呈する包装容器において、被収納物の収納及び取出しが容易であり、さらに、製造が容易な包装容器を提供するという目的を以下のようにして実現した。
【実施例１】
【００２５】
本考案に基づく包装容器５は、図１〜図７に示されるように構成され、底面部１０と、底面部１０の正面側の辺部から折れ線（すなわち、折れ線Ｃ１）を介して連設された下部正面側面部２０と、下部正面側面部２０の右側面側の辺部から折れ線（すなわち、折れ線Ｃ３）を介して連設された糊代部（第１糊代部）２２と、下部正面側面部２０の左側面側の辺部から折れ線（すなわち、折れ線Ｃ４）を介して連設された糊代部（第２糊代部）２４と、下部正面側面部２０の底面部１０とは反対側の辺部から折れ線（すなわち、折れ線Ｃ２）を介して連設された上部正面側面部３０と、上部正面側面部３０の右側面側の辺部から折れ線（すなわち、折れ線Ｃ５）を介して連設されたフラップ（第１フラップ）３２と、上部正面側面部３０の左側面側の辺部から折れ線（すなわち、折れ線Ｃ６）を介して連設されたフラップ（第２フラップ）３４と、底面部１０の背面側の辺部から折れ線（すなわち、折れ線Ｃ７）を介して連設された下部背面側面部４０と、下部背面側面部４０の右側面側の辺部から折れ線（すなわち、折れ線Ｃ９）を介して連設された糊代部（第３糊代部）４２と、下部背面側面部４０の左側面側の辺部から折れ線（すなわち、折れ線Ｃ１０）を介して連設された糊代部（第４糊代部）４４と、下部背面側面部４０の底面部１０とは反対側の辺部から折れ線（すなわち、折れ線Ｃ８）を介して連設された上部背面側面部５０と、上部背面側面部５０の右側面側の辺部から折れ線（すなわち、折れ線Ｃ１１）を介して連設されたフラップ（第３フラップ）５２と、上部背面側面部５０の左側面側の辺部から折れ線（すなわち、折れ線Ｃ１２）を介して連設されたフラップ（第４フラップ）５４と、底面部１０の右側面側の辺部から折れ線（すなわち、折れ線Ｃ１３）を介して連設された下部右側面部６０と、下部右側面部６０の底面部１０とは反対側の辺部から折れ線（すなわち、折れ線Ｃ１４）を介して連設された上部右側面部７０と、上部右側面部７０の下部右側面部６０とは反対側の辺部から折れ線（すなわち、折れ線Ｃ１５）を介して連設されたフラップ（第５フラップ）７２と、底面部１０の左側面側の辺部から折れ線（すなわち、折れ線Ｃ１６）を介して連設された下部左側面部８０と、下部左側面部８０の底面部１０とは反対側の辺部から折れ線（すなわち、折れ線Ｃ１７）を介して連設された上部左側面部９０と、上部左側面部９０の下部左側面部８０とは反対側の辺部から折れ線（すなわち、折れ線Ｃ１８）を介して連設されたフラップ（第６フラップ）９２と、上部背面側面部５０の下部背面側面部４０とは反対側の辺部から折れ線（すなわち、折れ線Ｃ１９）を介して連設された蓋部１００とを有している。
【００２６】
また、蓋部１００は、上部背面側面部５０の下部背面側面部４０とは反対側の辺部から折れ線（すなわち、折れ線Ｃ１９）を介して連設された上面蓋部１０２と、上面蓋部１０２の上部背面側面部５０とは反対側の辺部から折れ線（すなわち、折れ線Ｃ２０）を介して連設された上部正面蓋部１０４と、上部正面蓋部１０４の上面蓋部１０２とは反対側の辺部から折れ線（すなわち、折れ線Ｃ２１）を介して連設された下部正面蓋部１０６と、下部正面蓋部１０６の上部正面蓋部１０４とは反対側の辺部から折れ線（すなわち、折れ線Ｃ２２）を介して連設された差込みフラップ１０８とを有している。この包装容器５は、１枚のシート状のブランク（具体的には、段ボール製（例えば、薄型段ボール製）のブランク）により形成されている。
【００２７】
なお、下部正面側面部２０と下部背面側面部４０と下部右側面部６０と下部左側面部８０と糊代部２２、２４、４２、４４とでトレー状部６が構成され、上部正面側面部３０と、フラップ３２、３４と、上部背面側面部５０と、フラップ５２、５４と、上部右側面部７０と、フラップ７２と、上部左側面部９０と、フラップ９２とで、上部構成部７が構成される。
【００２８】
ここで、底面部１０は、略方形状（具体的には、略長方形状）を呈している。つまり、底面部１０と下部正面側面部２０間には、コ字状の切欠部Ｋ１（被差込み部）が形成されているので、底面部１０の正面側の辺部の中央領域が突出した形状となっている。つまり、底面部１０は、長方形状の底面部本体１０ａと、底面部本体１０ａから正面側に突出した横長長方形状の突出部１０ｂとを有した形状となっている。底面部１０は、正面側の辺部（折れ線Ｃ１に沿った辺部）と、正面側の辺部と平行な背面側の辺部（折れ線Ｃ７に沿った辺部）と、正面側の辺部及び背面側の辺部と直角の右側面側の辺部（折れ線Ｃ１３に沿った辺部）と、正面側の辺部及び背面側の辺部と直角の左側面側の辺部（折れ線Ｃ１６に沿った辺部）とを有している。
【００２９】
また、下部正面側面部２０は、略台形形状を呈し、底面部１０から上部正面側面部３０側にいくに従い、左右方向の幅が大きくなる等脚台形の底面部１０側の一部に凹部（切込みＫ１による凹部）を形成した形状となっている。この下部正面側面部２０は、対称形状（すなわち、左右対称形状）に形成され、角度α２０ａ（第１角度）と角度α２０ｂ（第２角度）とは同一（略同一としてもよい）であり、角度α２０ｃと角度２０ｄとは同一（略同一としてもよい）である。角度α２０ａと角度α２０ｂとは鈍角であり、角度α２０ｃと角度２０ｄは鋭角となっている。また、左右両側の辺部（折れ線Ｃ３に沿った辺部と折れ線Ｃ４に沿った辺部）は、直線状の辺部となっている。
【００３０】
また、糊代部２２は、三角形状を呈し、底面部１０の角部から伸びる２つの辺部（辺部２２ａと折れ線Ｃ３に沿った辺部）と辺部２２ｂにより囲まれた形状を呈している。包装容器５の展開状態において、辺部２２ａは、下部右側面部６０と直線状の切込みを介して下部右側面部６０と隣接している。折れ線Ｃ３に沿った辺部と辺部２２ｂ間の角度α２２は、下部右側面部６０における辺部６０ｂと辺部６０ｄ間の角度α６０ｃと同一（略同一としてもよい）であり、これにより、包装容器５におけるトレー状部５の組立て状態において、辺部２２ｂと辺部６０ｄが平行（略平行としてもよい）となっている。
【００３１】
糊代部２２は、下部右側面部６０の内側の面に接着され、これにより、下部右側面部６０の辺部６０ｂは、折れ線Ｃ３に沿った状態となる。
【００３２】
また、糊代部２４は、三角形状を呈し、糊代部２２と対称に形成されている（包装容器５の展開状態において、糊代部２２と線対称に形成されている）。包装容器５の展開状態において、糊代部２４における下部左側面部８０側の辺部は、下部左側面部８０と直線状の切込みを介して隣接している。折れ線Ｃ４に沿った辺部と辺部２４ｂ間の角度α２４は、下部左側面部８０における辺部８０ｂと辺部８０ｄ間の角度α８０ｃと同一（略同一としてもよい）であり、これにより、包装容器５におけるトレー状部５の組立て状態において、辺部２４ｂと辺部８０ｄが平行（略平行としてもよい）となっている。
【００３３】
糊代部２４は、下部左側面部８０の内側の面に接着され、これにより、下部左側面部８０の辺部８０ｂは、折れ線Ｃ４に沿った状態となる。
【００３４】
また、上部正面側面部３０は、台形形状に切欠部３０−１を形成した形状を呈している。すなわち、上部正面側面部３０は、下部正面側面部２０側から先端側にいくに従い左右方向の幅が小さくなる等脚台形において、下部正面側面部２０側とは反対側の辺部から略台形形状の切欠部３０−１を形成した形状を呈している。ここで、上部正面側面部３０における左右の辺部の折れ線Ｃ２に対する角度は、下部正面側面部２０における左右の辺部の折れ線Ｃ２に対する角度と同一であり、折れ線Ｃ２と折れ線Ｃ５間の角度α３０ａは、折れ線Ｃ２と折れ線Ｃ３間の角度α２０ｃと同一（略同一としてもよい）であり、折れ線Ｃ２と折れ線Ｃ６間の角度α３０ｂは、折れ線Ｃ２と折れ線Ｃ４間の角度α２０ｄと同一（略同一としてもよい）となっている。
【００３５】
なお、上部正面側面部３０の高さ方向の長さ（折れ線Ｃ２と折れ線Ｃ２と反対側の辺部間の長さ（最大長さ））ｈ３０は、下部正面側面部２０の高さ方向の長さ（折れ線Ｃ１と折れ線Ｃ２間の長さｈ２０と同一（略同一としてもよい）となっている。また、上部正面側面部３０の左右両側の辺部（折れ線Ｃ５に沿った辺部と折れ線Ｃ６に沿った辺部）は、直線状の辺部となっている。
【００３６】
なお、切欠部３０−１の大きさ（特に左右方向の長さ）は、蓋部１００を閉状態として、上部正面蓋部１０４を上部正面側面部３０の外側の面に沿って配置した際に、切欠部３０−１が上部正面蓋部１０４から露出しない大きさに形成されている。つまり、切欠部３０−１の左右方向の長さ（最大長さ）は上部正面蓋部１０４の長さ（最小長さ）よりも小さく形成されている。
【００３７】
この切欠部３０−１が設けられていることにより、被収納部の収納や取出しの際に、上部正面側面部３０が邪魔になることがなく、また、蓋部１００を上方に持ち上げた際に、収納された被収納物を視認しやすくすることができる。
【００３８】
また、フラップ３２は、折れ線Ｃ５に沿った帯状を呈し、上部側（上部正面側面部３０の先端側）には、略帯状の突状部３２ａが設けられ、突状部３２ａが、上部右側面部７０とフラップ７２間の切込みＫ２１に係止するようになっている。つまり、突状部３２ａは、折れ線Ｃ５と隣接する上辺に設けられている。
【００３９】
また、フラップ３４は、折れ線Ｃ６に沿った帯状を呈し、上部側（上部正面側面部３０の先端側）には、略帯状の突状部３４ａが設けられ、突状部３４ａが、上部左側面部９０とフラップ９２間の切込みＫ３１に係止するようになっている。つまり、突状部３４ａは、折れ線Ｃ６と隣接する上辺に設けられている。
【００４０】
また、下部背面側面部４０は、台形形状を呈し、底面部１０から上部背面側面部５０側にいくに従い、左右方向の幅が大きくなる等脚台形を呈している。この下部背面側面部４０は、対称形状（すなわち、左右対称形状）に形成され、角度α４０ａ（第３角度）と角度α４０ｂ（第４角度）とは同一（略同一としてもよい）であり、角度α４０ｃと角度４０ｄとは同一（略同一としてもよい）である。なお、角度α４０ａ及び角度α４０ｂは、角度α２０ａ及び角度２０ｂと同一（略同一としてもよい）であり、角度α４０ｃ及び角度４０ｄは、角度α２０ｃ及び角度２０ｄと同一（略同一としてもよい）である。角度α４０ａと角度α４０ｂは鈍角であり、角度α４０ｃと角度４０ｄは鋭角となっている。また、下部背面側面部４０の高さ方向の長さｈ４０は、長さｈ２０と同一（略同一としてもよい）となっている。つまり、下部背面側面部４０は、下部正面側面部２０（切欠部１０ｂの代わりに折れ線となっている状態の下部正面側面部２０）と対称形状（前後対称形状）に形成されているといえる。なお、下部背面側面部４０の左右両側の辺部（折れ線Ｃ９に沿った辺部と折れ線Ｃ１０に沿った辺部）は、直線状の辺部となっている。
【００４１】
また、糊代部４２は、三角形状を呈し、底面部１０の角部から伸びる２つの辺部（辺部４２ａと折れ線Ｃ９に沿った辺部）と辺部４２ｂにより囲まれた形状を呈している。包装容器５の展開状態において、辺部４２ａは、下部右側面部６０と直線状の切込みを介して下部右側面部６０と隣接している。折れ線Ｃ９に沿った辺部と辺部４２ｂ間の角度α４２は、下部右側面部６０における辺部６０ｃと辺部６０ｄ間の角度α６０ｄと同一（略同一としてもよい）であり、これにより、包装容器５のトレー状部６の組立て状態において、辺部４２ｂと辺部６０ｄが平行（略平行としてもよい）となっている。
【００４２】
糊代部２４は、下部左側面部８０の内側の面に接着され、これにより、下部左側面部８０の辺部８０ｂは、折れ線Ｃ４に沿った状態となる。
【００４３】
また、糊代部４４は、三角形状を呈し、糊代部４２と対称に形成されている（包装容器５の展開状態において、糊代部４２と線対称に形成されている）。包装容器５の展開状態において、糊代部４４における下部左側面部８０側の辺部は、下部左側面部８０と直線状の切込みを介して隣接している。折れ線Ｃ１０に沿った辺部と辺部４４ｂ間の角度α４４は、下部左側面部８０における辺部８０ｃと辺部８０ｄ間の角度α８０ｄと同一（略同一としてもよい）であり、これにより、包装容器５のトレー状部６の組立て状態において、辺部４４ｂと辺部８０ｄが平行（略平行としてもよい）となっている。
【００４４】
糊代部４４は、下部左側面部８０の内側の面に接着され、これにより、下部左側面部８０の辺部８０ｃは、折れ線Ｃ１０に沿った状態となる。
【００４５】
また、上部背面側面部５０は、台形形状を呈している。すなわち、上部背面側面部５０は、下部背面側面部４０側から先端側にいくに従い左右方向の幅が小さくなる等脚台形を呈している。ここで、上部背面側面部５０における左右の辺部の折れ線Ｃ８に対する角度は、下部背面側面部４０における左右の辺部の折れ線Ｃ８に対する角度と同一（略同一としてもよい）であり、折れ線Ｃ８と折れ線Ｃ１１間の角度α５０ａは、折れ線Ｃ８と折れ線Ｃ９間の角度α４０ｃと同一（略同一としてもよい）であり、折れ線Ｃ８と折れ線Ｃ１２間の角度α５０ｂは、折れ線Ｃ８と折れ線Ｃ１０間の角度α４０ｄと同一（略同一としてもよい）となっている。
【００４６】
なお、上部背面側面部５０の高さ方向の長さ（折れ線Ｃ８と折れ線Ｃ１９間の長さ）ｈ５０は、下部背面側面部４０の高さ方向の長さ（折れ線Ｃ７と折れ線Ｃ８間の長さｈ４０と同一（略同一としてもよい）となっている。また、上部背面側面部５０の左右両側の辺部（折れ線Ｃ１１に沿った辺部と折れ線Ｃ１２に沿った辺部）は、直線状の辺部となっている。
【００４７】
また、フラップ５２は、折れ線Ｃ１１に沿った帯状を呈し、上部側（上部背面側面部５０の先端側）には、略帯状の突状部５２ａが設けられ、突状部５２ａが、上部右側面部７０とフラップ７２間の切込みＫ２２に係止するようになっている。つまり、突状部５２ａは、折れ線Ｃ１１と隣接する上辺に設けられている。
【００４８】
また、フラップ５４は、折れ線Ｃ１２に沿った帯状を呈し、上部側（上部背面側面部５０の先端側）には、略帯状の突状部５４ａが設けられ、突状部５４ａが、上部左側面部９０とフラップ９２間の切込みＫ３２に係止するようになっている。つまり、突状部５２ｂは、折れ線Ｃ１２と隣接する上辺に設けられている。
【００４９】
また、下部右側面部６０は、台形形状を呈し、底面部１０から上部右側面部７０側にいくに従い、前後方向の幅が大きくなる等脚台形を呈している。この下部右側面部６０は、対称形状（すなわち、前後対称形状）に形成され、角度α６０ａ（第５角度）と角度α６０ｂ（第６角度）とは同一（略同一としてもよい）であり、角度α６０ｃと角度６０ｄとは同一（略同一としてもよい）である。角度α６０ａと角度α６０ｂとは鈍角であり、角度α６０ｃと角度６０ｄとは鋭角となっている。また、下部右側面部６０の高さ方向の長さｈ６０（折れ線Ｃ１３と折れ線Ｃ１４間の長さ）は、包装容器５のトレー状部６の組立て状態において、折れ線Ｃ１４の高さが、折れ線Ｃ２の高さや折れ線Ｃ８の高さと一致する長さに形成されている。また、下部右側面部６０の前後両側の辺部（辺部６０ｂと辺部６０ｃ）は、直線状の辺部となっている。
【００５０】
また、上部右側面部７０は、略台形形状を呈している。すなわち、上部右側面部７０は、下部右側面部６０側から先端側にいくに従い前後方向の幅が小さくなる等脚台形に鉤状の切込みＫ２１、Ｋ２２による突状部７１ａ、７１ｂを形成した形状を呈している。ここで、上部右側面部７０における前後の辺部の折れ線Ｃ１２に対する角度は、下部右側面部６０における前後の辺部の折れ線Ｃ１２に対する角度と同一であり、折れ線Ｃ１２と辺部７０ａ間の角度α７０ａ（第１３角度）は、角度α６０ｃと同一であり、折れ線Ｃ１２と辺部７０ｂ間の角度α７０ｂ（第１４角度）は、角度α６０ｄと同一となっている。また、上部右側面部７０の高さ方向の長さｈ７０（折れ線Ｃ１４と折れ線Ｃ１５間の長さ）は、長さｈ６０と同一（略同一としてもよい）となっている。また、上部右側面部７０の前後両側の辺部（辺部７０ａと辺部７０ｂ）は、直線状の辺部となっている。
【００５１】
また、フラップ７２は、略長方形状（先端の角部にアールが設けられた長方形状）を呈し、折れ線Ｃ１５の両側に鉤状の切込みＫ２１、Ｋ２２が形成されている。切込みＫ２１（第１係止部）と切込みＫ２２（第２係止部）とは、折れ線Ｃ１５と同じ方向の直線状の切込みである第１方向切込みと、第１方向切込みの内側の端部から第１方向切込みに対して直角な第２方向切込みにより形成され、切込みＫ２１と切込みＫ２２とは互いに対称（前後対称）に形成され、包装容器５の展開状態において、切込みＫ２１と切込みＫ２２とは線対称に形成されている。折れ線Ｃ１５は、切込みＫ２１の第２方向切込みの略中間位置と切込みＫ２２の第２方向切込みの略中間位置とに接している。切込みＫ２１、Ｋ２２が形成されていることにより、フラップ７２を上部右側面部７０に対して直角に折曲した場合に、切込みＫ２１、Ｋ２２の位置に隙間が形成されるため、突状部３２ａを切込みＫ２１による隙間に係止し、突状部５２ａを切込みＫ２２による隙間に係止することができる。
【００５２】
また、下部左側面部８０は、台形形状を呈し、底面部１０から上部左側面部９０側にいくに従い、前後方向の幅が大きくなる等脚台形を呈している。すなわち、下部左側面部８０は、下部右側面部６０と対称形状（すなわち、左右対称形状）に形成され、例えば、包装容器５の展開状態において、下部左側面部８０は下部右側面部６０と線対称に形成されている。これにより、下部右側面部６０の高さ方向の長さ（折れ線Ｃ１３と折れ線Ｃ１４間の長さ）ｈ６０は、下部左側面部８０の高さ方向の長さ（折れ線Ｃ１６と折れ線Ｃ１７間の長さ）と同一（略同一としてもよい）となっている。また、下部左側面部８０の前後両側の辺部（辺部８０ｂと辺部８０ｃ）は、直線状の辺部となっている。
【００５３】
また、上部左側面部９０は、略台形形状を呈している。すなわち、上部左側面部９０は、下部左側面部８０側から先端側にいくに従い前後方向の幅が小さくなる等脚台形に鉤状の切込みＫ３１、Ｋ３２による突状部９１ａ、９１ｂを形成した形状を呈している。すなわち、上部左側面部９０は、上部右側面部７０と対称形状（すなわち、左右対称形状）に形成され、例えば、包装容器５の展開状態において、上部左側面部９０は下部右側面部６０と線対称に形成されている。これにより、上部左側面部９０の高さ方向の長さ（折れ線Ｃ１７と折れ線Ｃ１８間の長さ）は、下部左側面部８０の高さ方向の長さ（折れ線Ｃ１６と折れ線Ｃ１７間の長さ）と同一（略同一としてもよい）となっている。また、上部左側面部９０の前後両側の辺部（辺部９０ａと辺部９０ｂ）は、直線状の辺部となっている。
【００５４】
また、フラップ９２は、略長方形状（先端の角部にアールが設けられた長方形状）を呈し、折れ線Ｃ１８の両側に鉤状の切込みＫ３１、Ｋ３２が形成されている。すなわち、フラップ９２は、フラップ７２と対称形状（すなわち、左右対称形状）に形成され、例えば、包装容器５の展開状態において、フラップ９２はフラップ７２と線対称に形成されている。切込みＫ３１（第３係止部）と切込みＫ３２（第４係止部）とは、折れ線Ｃ１８と同じ方向の直線状の切込みである第１方向切込みと、第１方向切込みの内側の端部から第１方向切込みに対して直角な第２方向切込みにより形成され、切込みＫ３１と切込みＫ３２とは互いに対称（前後対称）に形成され、包装容器５の展開状態において、切込みＫ３１と切込みＫ３２とは線対称に形成されている。折れ線Ｃ１８は、切込みＫ３１の第２方向切込みの略中間位置と切込みＫ３２の第２方向切込みの略中間位置とに接している。なお、包装容器５の展開状態において、切込みＫ３１は切込みＫ２１と線対称に形成され、切込みＫ３２は切込みＫ２２と線対称に形成されている。切込みＫ３１、Ｋ３２が形成されていることにより、フラップ９２を上部左側面部９０に対して直角に折曲した場合に、切込みＫ３１、Ｋ３２の位置に隙間が形成されるため、突状部３４ａを切込みＫ３１による隙間に係止し、突状部５４ａを切込みＫ３２による隙間に係止することができる。
【００５５】
以上のようにして、角度α３０ａ（第９角度）の大きさと角度α３０ｂ（第１０角度）の大きさと角度α５０ａ（第１１角度）の大きさと角度α５０ｂ（第１２角度）の大きさとが略同一に形成されるとともに、角度α７０ａ（第１３角度）の大きさと角度α７０ｂ（第１４角度）の大きさと角度α９０ａ（第１５角度）の大きさと角度α９０ｂ（第１６角度）の大きさとが同一（略同一としてもよい）に形成されている。
【００５６】
また、角度α２０ａ（角度α２０ｂ、角度α４０ａ、角度α４０ｂ）の大きさと角度α３０ａ（角度α３０ｂ、角度α５０ａ、角度α５０ｂ）の大きさの和が１８０度となっている。
【００５７】
また、角度α６０ａ（角度α６０ｂ、角度α８０ａ（第７角度）、角度α８０ｂ（第８角度））の大きさと角度α７０ａ（角度α７０ｂ、角度α９０ａ（第１５角度）、角度α９０ｂ（第１６角度））の大きさの和は１８０度となっている。
【００５８】
また、包装容器５の展開状態において、下部右側面部６０と上部右側面部７０とで略六角形状に形成され、下部左側面部８０と上部左側面部９０とで略六角形状に形成される。
【００５９】
また、上面蓋部１０２は、長方形状を呈し、底面部１０と同大同形状に形成されている。上面蓋部１０２の長手方向の長さは、底面部１０の長さ方向の長さと同一であり、また、上面蓋部１０２の短手方向の長さ（長さｈ１０２）は、長さｈ１０と同一となっている。すなわち、包装容器５の閉状態において、上部正面側面部３０とフラップ３２間の角部の上端と、上部正面側面部３０とフラップ３４間の角部の上端と、上部背面側面部５０とフラップ５２間の角部の上端と、上部背面側面部５０とフラップ５４間の角部の上端とを結ぶ領域と略同一の大きさに形成され、上側正面側面部３０と上側右側面部７０と上側背面側面部５０と上側左側面部９０により形成された上側側面部７−１の上部開口部をカバーするようになっている。
【００６０】
また、上部正面蓋部１０４は、台形形状を呈し、上面蓋部１０２から下部正面蓋部１０６側にいくに従い左右方向の幅が小さくなる等脚台形を呈している。すなわち、上部正面蓋部１０４の辺部１０４ａと折れ線Ｃ２１間の角度α１０４ａは、辺部１０４ｂと折れ線Ｃ２１間の角度α１０４ｂと同一である。
【００６１】
また、下部正面蓋部１０６は、台形形状を呈し、上部正面蓋部１０４から差込みフラップ１０８側にいくに従い左右方向の幅が大きくなる等脚台形を呈している。すなわち、下部正面蓋部１０６の辺部１０６ａと折れ線Ｃ２１間の角度α１０６ａは、辺部１０６ｂと折れ線Ｃ２１間の角度α１０６ｂと同一である。
【００６２】
また、角度α１０４ａ、α１０４ｂは、角度α１０６ａ、α１０６ｂと同一となっている。つまり、包装容器５の展開状態において、下部正面蓋部１０６は、折れ線Ｃ２１を介して上部正面蓋部１０４と線対称に形成されているといえるが、厳密には、下部正面蓋部１０６ａにおいては、先端の両側の角部（上部正面蓋部１０４側とは反対側の角部）にアールが形成されていることから、包装容器５の展開状態において、下部正面蓋部１０６は、折れ線Ｃ２１を介して上部正面蓋部１０４と略線対称に形成されているといえる。
【００６３】
また、差込みフラップ１０８は、先端の２つの角部にアールが形成された方形状（具体的には、長方形状）を呈し、その左右方向の長さは、切込みＫ１により形成される被差込部１２に差込み可能となっている。
【００６４】
折れ線Ｃ１、Ｃ２、Ｃ３、Ｃ４、Ｃ５、Ｃ６、Ｃ７、Ｃ８、Ｃ９、Ｃ１０、Ｃ１１、Ｃ１２、Ｃ１３、Ｃ１４、Ｃ１５、Ｃ１６、Ｃ１７、Ｃ１８、Ｃ１９、Ｃ２０、Ｃ２１、Ｃ２２における各折れ線は直線状の折れ線となっている。
【００６５】
なお、包装容器５の図３〜図５に示す展開状態においては、包装容器５は、左右対称に形成されている。
【００６６】
なお、包装容器５のトレー状部６の組立て状態では、糊代部２２、４２が下部右側面部６０に接着されるとともに、糊代部２４、４４が下部左側面部８０に接着されることにより、下部正面側面部２０と下部背面側面部４０と下部右側面部６０と下部左側面部８０と糊代部２２、２４、４２、４４とでトレー状に形成される。つまり、下部正面側面部２０と下部背面側面部４０と下部右側面部６０と下部左側面部８０と糊代部２２、２４、４２、４４とでトレー状部６（図４、図６参照）が形成される。糊代部２２、４２が下部右側面部６０に接着された状態では、辺部２２ｂ、４２ｂは、折れ線Ｃ１４と平行（略平行としてもよい）であり、糊代部２４、４４が下部左側面部８０に接着された状態では、辺部２４ｂ、４４ｂは、折れ線Ｃ１７と平行（略平行としてもよい）となっていて、下部正面側面部２０と下部背面側面部４０と下部右側面部６０と下部左側面部８０とが底面部１０に対して傾斜して立設している。よって、トレー状部６においては、横断面積が上側にいくほど大きくなるように構成されている。
【００６７】
また、包装容器５において、トレー状部６と蓋部１００以外の部分、すなわち、上部正面側面部３０と、フラップ３２、３４と、上部背面側面部５０と、フラップ５２、５４と、上部右側面部７０と、フラップ７２と、上部左側面部９０と、フラップ９２とで、上部構成部７が構成される。
【００６８】
包装容器５の閉状態においては、図１、図２に示すように、周面が六角形状をなす（つまり、側面視において六角形状を呈する）包装容器となる。
【００６９】
上記構成の包装容器５を製造する際には、図３に示す展開状態のブランクを製造し、該ブランクを自動製函機により組み立てる。すなわち、下部正面側面部２０と下部背面側面部４０を底面部１０に対して折り曲げ、さらに、糊代部２２、２４を下部正面側面部２０に対して折り曲げるとともに、糊代部４２、４４を下部背面側面部４０に対して折り曲げて、さらに、糊代部２２、４２と下部右側面部６０を接着させ、糊代部２４、４４と下部左側面部８０とを接着させる。
【００７０】
本実施例の包装容器５によれば、４つの糊代部を接着させるのみでよいので、通常のトレー（すなわち、いわば、底面部１０と下部正面側面部２０と下部背面側面部４０と下部右側面部６０と下部左側面部８０のみからなるトレー（なお、切込みＫ１は設けられていない））を製造する方法と同様の方法で製造することができ、通常のトレーの製造装置を用いて製造することができる。
【００７１】
上記構成の包装容器５の使用状態について説明する。包装容器５に被収納物を収納する際には、包装容器５を開状態とする。包装容器５を開状態とするには、上部正面側面部３０と上部背面側面部５０と上部右側面部７０と上部左側面部９０を図６に示すように外側に広げた状態として、トレー状部６内に被収納物を収納しやすくする。つまり、上部正面側面部３０と上部背面側面部５０と上部右側面部７０と上部左側面部９０を少なくとも鉛直方向（底面部１０の上面に対する垂直方向）よりも外側に傾斜した状態とする。
【００７２】
トレー状部６内に被収納物を収納したら、包装容器５を閉状態とする。包装容器５を閉状態とするには、フラップ３２、３４を上部正面側面部３０に対して内側に折り曲げ、上部正面側面部３０を下部正面側面部２０に対して内側に折り曲げて、上部正面側面部３０を鉛直方向よりも内側に傾斜した状態とするとともに、フラップ５２、５４を上部背面側面部５０に対して内側に折り曲げ、上部背面側面部５０を下部背面側面部４０に対して内側に折り曲げて、上部背面側面部５０を鉛直方向よりも内側に傾斜した状態とし、その後、上部右側面部７０を下部右側面部６０に対して内側に折り曲げるとともにフラップ７２を上部右側面部７０に対して折り曲げて、突状部３２ａを切込みＫ２１による隙間に係止させるとともに、突状部５２ａを切込みＫ２２による隙間に係止させ、上部左側面部９０を下部左側面部８０に対して内側に折り曲げるとともにフラップ９２を上部左側面部９０に対して折り曲げて、突状部３４ａを切込みＫ３１による隙間に係止させるとともに、突状部５４ａを切込みＫ３２による隙間に係止させる。以上のようにすることにより、図７に示すように上部構成部７が組み立てられる。
【００７３】
次に、蓋部１００が閉状態とする。すなわち、上面蓋部１０２を上部背面側面部５０に対して内側に折り曲げて、上面蓋部１０２を上部構成部７の上面に配置するとともに、上部正面蓋部１０４を上面蓋部１０２に対して折り曲げて、上部正面蓋部１０４を上部正面側面部３０の外側の面に沿って配置し、下部正面蓋部１０６を上部正面蓋部１０４に対して折り曲げるとともに、差込みフラップ１０８を切込みＫ１により形成される被差込部１２に差し込んで下部正面蓋部１０６を下部正面側面部２０の外側の面に沿って配置させる。以上のように、上部構成部７を組み立てるとともに蓋部１００を閉状態にすることにより、包装容器５が閉状態とされる。包装容器５の閉状態においては、包装容器５は、図１、図２に示す状態となる。
【００７４】
包装容器５に収納された被収納物を取り出すには、上記と逆の操作を行い、蓋部１００を開状態にし、上部構成部７の組立て状態を解除することにより、図６に示す状態として、被収納物を取り出す。
【００７５】
本実施例の包装容器５においては、トレー状部６の側面が傾斜してテーパ状を呈していて、トレー状部６の上部が広く開口しているので、被収納物の収納や取出しを容易とすることができる。特に、被収納物を収納した状態で被収納物がトレー状部６の上方に突出した状態でも、上部構成部７と蓋部１００によりカバーできるので、被収納物を収納することができ、被収納物がトレー状部６の上方に突出した状態の場合には、被収納物をトレー状部６から取り出しやすくすることができる。つまり、通常のトレーの場合には、図８に示すように、テーパ状の側面Ｓの上端が被収納物の上端よりも上側になるため、被収納物と側面Ｓとの間の隙間が小さい場合には取出しが困難となるが、本実施例の場合には、被収納物がトレー状部６の上方に突出した状態とすることができるので、被収納物の取出しを容易とすることができる。
【００７６】
また、上記のように、４つの糊代部を接着させるのみでよいので、通常のトレーを製造する方法と同様の方法で製造することができ、すなわち、通常のトレーの製造装置を用いて製造することができるので、容易に包装容器を製造することができ、製造が容易な包装容器を提供することができる。
【００７７】
また、トレー状部６の上側に上部構成部７が設けられているので、通常のトレーよりも深い容器を提供することができる。
【００７８】
また、特に、本実施例の包装容器５は、ロールケーキのような円柱状の被収納物を収納するのに適しており、包装容器の幅（間口）を小さくして包装容器の収納スペースの低減を図ることができる。つまり、通常のトレーの場合には、図９（ａ）に示すように、被収納物を収納するトレーの幅として幅Ｔ１が必要になるが、本実施例の場合には、図９（ｂ）に示すように幅Ｔ２でよく、Ｔ１＞Ｔ２であるので、包装容器の収納スペースの省スペースを図ることができる。
【実施例２】
【００７９】
次に、実施例２の包装容器について説明する。実施例２の包装容器２０５は、図１０〜図１４に示すように構成され、底面部１０と、底面部１０の正面側の辺部から折れ線（すなわち、折れ線Ｃ１）を介して連設された下部正面側面部２０と、下部正面側面部２０の右側面側の辺部から折れ線（すなわち、折れ線Ｃ３）を介して連設された糊代部（第１糊代部）２２と、下部正面側面部２０の左側面側の辺部から折れ線（すなわち、折れ線Ｃ４）を介して連設された糊代部（第２糊代部）２４と、下部正面側面部２０の底面部１０とは反対側の辺部から折れ線（すなわち、折れ線Ｃ２）を介して連設された上部正面側面部３０と、上部正面側面部３０の右側面側の辺部から折れ線（すなわち、折れ線Ｃ５）を介して連設されたフラップ（第１フラップ）３２と、上部正面側面部３０の左側面側の辺部から折れ線（すなわち、折れ線Ｃ６）を介して連設されたフラップ（第２フラップ）３４と、底面部１０の背面側の辺部から折れ線（すなわち、折れ線Ｃ７）を介して連設された下部背面側面部４０と、下部背面側面部４０の右側面側の辺部から折れ線（すなわち、折れ線Ｃ９）を介して連設された糊代部（第３糊代部）４２と、下部背面側面部４０の左側面側の辺部から折れ線（すなわち、折れ線Ｃ１０）を介して連設された糊代部（第４糊代部）４４と、下部背面側面部４０の底面部１０とは反対側の辺部から折れ線（すなわち、折れ線Ｃ８）を介して連設された上部背面側面部５０と、上部背面側面部５０の右側面側の辺部から折れ線（すなわち、折れ線Ｃ１１）を介して連設されたフラップ（第３フラップ）５２と、上部背面側面部５０の左側面側の辺部から折れ線（すなわち、折れ線Ｃ１２）を介して連設されたフラップ（第４フラップ）５４と、底面部１０の右側面側の辺部から折れ線（すなわち、折れ線Ｃ１３）を介して連設された下部右側面部６０と、下部右側面部６０の底面部１０とは反対側の辺部から折れ線（すなわち、折れ線Ｃ１４）を介して連設された上部右側面部７０と、上部右側面部７０の下部右側面部６０とは反対側の辺部から折れ線（すなわち、折れ線Ｃ１５）を介して連設されたフラップ（第５フラップ）７２と、底面部１０の左側面側の辺部から折れ線（すなわち、折れ線Ｃ１６）を介して連設された下部左側面部８０と、下部左側面部８０の底面部１０とは反対側の辺部から折れ線（すなわち、折れ線Ｃ１７）を介して連設された上部左側面部９０と、上部左側面部９０の下部左側面部８０とは反対側の辺部から折れ線（すなわち、折れ線Ｃ１８）を介して連設されたフラップ（第６フラップ）９２と、上部背面側面部５０の下部背面側面部４０とは反対側の辺部から折れ線（すなわち、折れ線Ｃ１９）を介して連設された蓋部１００とを有している。
【００８０】
また、蓋部１００は、上部背面側面部５０の下部背面側面部４０とは反対側の辺部から折れ線（すなわち、折れ線Ｃ１９）を介して連設された上面蓋部１０２と、上面蓋部１０２の上部背面側面部５０とは反対側の辺部から折れ線（すなわち、折れ線Ｃ２０）を介して連設された上部正面蓋部１０４と、上部正面蓋部１０４の上面蓋部１０２とは反対側の辺部から折れ線（すなわち、折れ線Ｃ２１）を介して連設された下部正面蓋部１０６と、下部正面蓋部１０６の上部正面蓋部１０４とは反対側の辺部から折れ線（すなわち、折れ線Ｃ２２）を介して連設された差込みフラップ１０８とを有している。この包装容器５は、１枚のシート状のブランク（具体的には、段ボール製（例えば、薄型段ボール製）のブランク）により形成されている。
【００８１】
なお、下部正面側面部２０と下部背面側面部４０と下部右側面部６０と下部左側面部８０と糊代部２２、２４、４２、４４とでトレー状部６が構成され、上部正面側面部３０と、フラップ３２、３４と、上部背面側面部５０と、フラップ５２、５４と、上部右側面部７０と、フラップ７２と、上部左側面部９０と、フラップ９２とで、上部構成部７が構成される。
【００８２】
包装容器５のトレー状部６の組立て状態では、糊代部２２、４２が下部右側面部６０に接着されるとともに、糊代部２４、４４が下部左側面部８０に接着されることにより、下部正面側面部２０と下部背面側面部４０と下部右側面部６０と下部左側面部８０と糊代部２２、２４、４２、４４とでトレー状に形成される。
【００８３】
実施例２の包装容器２０５は、実施例１の包装容器５と比べて、底面部１０と下部正面側面部２０と上部正面側面部３０と下部背面側面部４０と上部背面側面部５０と上面蓋部１０２と上部正面蓋部１０４と下部正面蓋部１０６の左右方向の長さを小さくした点以外は実施例１の包装容器５と同様の構成であるので、詳しい説明を省略する。なお、図１０、図１１に示すように、包装容器２０５の閉状態においては、周面が六角形状をなす（つまり、側面視において六角形状を呈する）包装容器となる。
【００８４】
本実施例の包装容器２０５においても、包装容器２０５の製造に際して、４つの糊代部を接着させるのみでよいので、通常のトレーを製造する方法と同様の方法で製造することができ、通常のトレーの製造装置を用いて製造することができる。
【００８５】
また、本実施例の包装容器２０５の使用状態も実施例１の包装容器５と同様であるので、詳しい説明を省略する。すなわち、包装容器２０５に被収納物を収納する際には、図１３に示すように、包装容器２０５を開状態とし、トレー状部６内に被収納物を収納したら、包装容器２０５を閉状態とするが、その場合には、図１４に示すように、上部構成部７を組み立て（つまり、突状部３２ａを切込みＫ２１による隙間に係止させるとともに、突状部５２ａを切込みＫ２２による隙間に係止させ、突状部３４ａを切込みＫ３１による隙間に係止させるとともに、突状部５４ａを切込みＫ３２による隙間に係止させる）、その後、蓋部１００を閉状態として図１０、図１１に示す状態とする。
【００８６】
なお、包装容器２０５は、実施例１の包装容器５と比べて左右方向の長さが短いので、当然、収納される被収納物も実施例１の包装容器５に収納される被収納物に比べて、左右方向の長さが短いものである必要がある。
【００８７】
本実施例の包装容器２０５においても、実施例１の場合と同様に、トレー状部６の側面が傾斜してテーパ状を呈していて、トレー状部６の上部が広く開口しているので、被収納物の収納や取出しを容易とすることができる。
【００８８】
また、４つの糊代部を接着させるのみでよいので、通常のトレーを製造する方法と同様の方法で製造することができ、すなわち、通常のトレーの製造装置を用いて製造することができるので、包装容器を容易に製造することができる。
【００８９】
また、トレー状部６の上側に上部構成部７が設けられているので、通常のトレーよりも深い容器を提供することができる。
【００９０】
また、実施例１の包装容器５と同様に、本実施例の包装容器２０５は、ロールケーキのような円柱状の被収納物を収納するのに適しており、包装容器の幅（間口）を小さくして包装容器の収納スペースの低減を図ることができる。
【００９１】
なお、上記各実施例において、糊代部２２が下部右側面部６０から折れ線を介して連設され、下部正面側面部２０に接着された構成としてもよく、糊代部４２が下部右側面部６０から折れ線を介して連設され、下部背面側面部４０に接着された構成としてもよく、糊代部２４が下部左側面部８０から折れ線を介して連設され、下部正面側面部２０に接着された構成としてもよく、糊代部４４が下部左側面部８０から折れ線を介して連設され、下部背面側面部４０に接着された構成としてもよい。
【００９２】
また、切込みＫ１を切込みの代わりに開口部（例えば、帯状の開口部）により構成してもよく、また、切込みＫ２１、Ｋ２２、Ｋ３１、Ｋ３２を切込みの代わりに切欠部（例えば、帯状の切欠部）により形成してもよい。
【符号の説明】
【００９３】
５  包装容器
６  トレー状部
７  上部構成部
１０  底面部
２０  下部正面側面部
２２、２４、４２、４４  糊代部
３０  上部正面側面部
３０−１  切欠部
３２、３４、５２、５４、７２、９２  フラップ
３２ａ、３４ａ、５２ａ、５４ａ  突状部
４０  下部背面側面部
５０  上部背面側面部
６０  下部右側面部
７０  上部右側面部
８０  下部左側面部
９０  上部左側面部
１００  蓋部
１０２  上面蓋部
１０４  上部正面蓋部
１０６  下部正面蓋部
１０８  差込みフラップ
Ｋ１、Ｋ２１、Ｋ２２、Ｋ３１、Ｋ３２  切込み
【図１】
0003186259.tif 000003
【図２】
0003186259.tif 000004
【図３】
0003186259.tif 000005
【図４】
0003186259.tif 000006
【図５】
0003186259.tif 000007
【図６】
0003186259.tif 000008
【図７】
0003186259.tif 000009
【図８】
0003186259.tif 000010
【図９】
0003186259.tif 000011
【図１０】
0003186259.tif 000012
【図１１】
0003186259.tif 000013
【図１２】
0003186259.tif 000014
【図１３】
0003186259.tif 000015
【図１４】
0003186259.tif 000016